(57)【特許請求の範囲】
【請求項１】
床面に設けられ、かつタイヤを外周面に接触させて回転させるドラムと、
実車の走行路面における吸音効果が再現されるように、前記ドラムと該ドラムにより回転された前記タイヤから発生する音を測定する測定位置との間で前記床面の前記ドラム側の端部から所定範囲内の前記床面上の少なくとも一部分に配置された、音を吸収する吸音部材と、
前記測定位置に配置されると共に、回転された前記タイヤから発生し、一部が前記吸音部材によって吸収された音を測定する測音手段と、
を備えたタイヤ騒音測定装置。
【請求項２】
前記床面に沿いかつ前記タイヤの回転軸と交差する方向に沿う複数の前記測定位置の各々で音を測定する際、
前記吸音部材が、前記ドラムの周囲でかつ前記所定範囲内の前記床面上の少なくとも一部分に配置された請求項１記載のタイヤ騒音測定装置。
【発明の詳細な説明】
【技術分野】
【０００１】
本発明は、タイヤ騒音測定装置に関する。
【背景技術】
【０００２】
従来、ドラム本体の外周表面に、ＩＳＯ路面で用いる骨材をエポキシ系樹脂のバインダーで固めた擬似路面を設けることによって、実車によるＩＳＯ路面でのタイヤ騒音試験結果に対して相関性の高いタイヤ騒音試験結果が得ようとするタイヤ騒音試験装置に用いられるタイヤ試験用ドラムが知られている（例えば、特許文献１参照）。
【０００３】
また、実車に対して相関性が高い台上試験方法が知られている（例えば、特許文献２参照）。
【先行技術文献】
【特許文献】
【０００４】
【特許文献１】特開平１１−２１８４７０号公報
【特許文献２】特開平７−５５６４９号公報
【発明の概要】
【発明が解決しようとする課題】
【０００５】
しかしながら、上記の例のタイヤ騒音試験装置では、床面による音の反射が発生する。そのため、タイヤ騒音試験装置の測音手段としてのマイクによって測定される音には、床面によって反射された音が含まれてしまう。このような場合に得られるタイヤ騒音試験結果は、実車による所定路面でのタイヤ騒音試験結果に対して相関性の低いものであり、より精度の高い試験結果が得られるタイヤ騒音試験が望まれている。
【０００６】
なお、床面からの音の反射は、ドラム試験機と騒音測定用のマイクとの距離を大きくすることで改善することが可能であるが、この場合には、タイヤ騒音試験装置の規模が大きくなってしまい不便である。更に、この床面自体を吸音機能を有する部材に変更することも考えられるが、この場合には、タイヤ騒音試験の場所が限られてしまうことになり、また、コストも非常にかかってしまう。
【０００７】
本発明は、上記の事情に鑑みて成されたものであり、より精度の高いタイヤ騒音試験結果が得られるタイヤ騒音測定装置を提供することを目的とする。
【課題を解決するための手段】
【０００８】
上記目的を達成するために、請求項１に記載の発明のタイヤ騒音測定装置は、床面に設けられ、かつタイヤを外周面に接触させて回転させるドラムと、実車の走行路面における吸音効果が再現されるように、前記ドラムと該ドラムにより回転された前記タイヤから発生する音を測定する測定位置との間で前記床面の前記ドラム側の端部から所定範囲内の前記床面上の少なくとも一部分に配置された、音を吸収する吸音部材と、前記測定位置に配置されると共に、回転された前記タイヤから発生し、一部が前記吸音部材によって吸収された音を測定する測音手段と、を備えている。
【０００９】
本発明のタイヤ騒音測定装置によれば、吸音部材によってタイヤから発生された音が吸収され、実車の走行路面における音の吸収効果が再現されるので、吸音部材が配置されることで床面による音の反射が抑えられ、吸音部材を配置しない場合と比較すると、測音手段によって測定される音に含まれる床面から反射された音の割合が小さくなり、より精度の高いタイヤ騒音試験結果を得ることができる。
【００１０】
また、請求項２に記載の発明のタイヤ騒音測定装置は、前記床面に沿いかつ前記タイヤの回転軸と交差する方向に沿う複数の前記測定位置の各々で音を測定する際、前記吸音部材が、前記ドラムの周囲でかつ前記所定範囲内の前記床面上の少なくとも一部分に配置される。
【発明の効果】
【００１１】
以上、説明したように、本発明のタイヤ騒音測定装置によれば、より精度の高いタイヤ騒音試験結果を得ることができる、という効果を有する。
【図面の簡単な説明】
【００１２】
【図１】本実施の形態のタイヤ騒音試験装置の一例を示す概略構成図である。
【図２】本実施の形態のタイヤ騒音試験装置の一例を示す平面図である。
【図３】本実施の形態のタイヤ騒音試験装置によって測定されたタイヤ騒音試験結果、及び吸音部材を床面Ｆに配置しない従来技術の方法によって測定されたタイヤ騒音試験結果と、実車試験結果との関係グラフ（ＯＡ値での相関関係グラフ）を示す図である。
【発明を実施するための形態】
【００１３】
以下、図面を参照して、本発明の実施の形態を詳細に説明する。
【００１４】
図１（Ａ）、図１（Ｂ）、及び図２には、本実施の形態に係るタイヤ騒音試験装置１０に、試験対象であるタイヤ３が装着された状態が示されている。なお、図２は、タイヤ騒音試験装置１０の平面図である。
【００１５】
本実施に形態に係るタイヤ騒音試験装置１０は、床面Ｆに設けられ、かつタイヤ３を外周面に接触させて回転させるドラム４と、回転されたタイヤ３から発生する音を測定するためのマイク２と、ドラム４が設けられた床面Ｆの位置Ｆ＿３から所定範囲内（例えば半径０．４ｍ範囲内）の少なくとも一部分の床面Ｆ上に配置され、かつ音を吸収する吸音部材１１とを備えている。なお、ドラム４は回転装置の一例であり、マイク２は測音手段の一例である。
【００１６】
ここで、本実施の形態では、吸音部材１１の一部分が、ドラム４（ドラム４が設けられた床面Ｆ上の位置Ｆ＿３）とマイク２を床面Ｆに投影した位置Ｆ＿２との間の床面Ｆ上に配置されている。
【００１７】
タイヤ３の赤道面７からマイク２までの回転軸６と平行な距離は１ｍであり、ドラム表面５からのマイク２の高さは０．２５ｍである。なお、この距離及び高さの値は一例であり、上記で説明した値に限定されない。
【００１８】
タイヤ騒音試験装置１０によるタイヤ騒音試験では、マイク２をタイヤ３の前後方向２ｍの区間における複数Ｋ箇所の位置で（例えば、マイク２を図示しない移動機構で４ｃｍ刻みに移動させて、それぞれの位置（この場合５１箇所）で）、音圧レベルを測定する。そして、特開平７−５５６４９号公報に記載されている技術と同様にして、Ｋ個の測定された音圧レベルＰ１〜ＰＫｄＢ（Ａ）に基づいて、以下の式（１）に示すように平均値を算出し、算出された平均値を評価値とする。
【００１９】
【数１】
0005623774.tif 000002
図３に、本実施の形態のタイヤ騒音試験装置１０によって測定されたタイヤ騒音試験結果、及び吸音部材１１を床面Ｆに配置しない従来技術の方法によって測定されたタイヤ騒音試験結果と、実車試験結果との関係グラフ（ＯＡ値での相関関係グラフ）を示す。
【００２０】
この関係グラフによれば、本実施の形態のタイヤ騒音試験装置１０によって測定されたタイヤ騒音試験結果のほうが、従来技術の方法によって測定されたタイヤ騒音試験結果よりも、実車試験結果と傾向が近く、相関度が良好であることが分かる。
【００２１】
また、この関係グラフでは、例えば、従来技術では標準誤差が０．７６ｄＢ（Ａ）であったものが、本実施の形態のタイヤ騒音試験装置１０では標準誤差が０．６９ｄＢ（Ａ）となり、吸音部材１１を配置しない従来技術と比較すると、本実施の形態のタイヤ騒音試験装置１０によって測定されたタイヤ騒音試験結果がより精度の高いものとなることが分かる。
【００２２】
このように本実施の形態のタイヤ騒音試験装置１０によれば、吸音部材１１によってタイヤ３から発生された音が吸収され、吸音部材１１が配置された部分の床面Ｆによる音の反射がなくなるので、吸音部材１１を配置しない場合と比較すると、マイク２によって測定される音に含まれる床面Ｆから反射された音の割合が小さくなり、より精度の高いタイヤ騒音試験結果を得ることができる。
【００２３】
また、吸音部材１１を配置することで、実車路面での吸音効果を再現するため、室内試験路面には、実車路面と粗さ位置づけの近い路面材であれば、張り替え可能なものを使用することができるため、評価路面摩耗時に張り替え可能でありメンテナンス性に優れている。
【００２４】
以上、本実施の形態のタイヤ騒音試験装置１０について説明した。なお、上記では、吸音部材１１の一部分が、ドラム４（ドラム４が設けられた床面Ｆ上の位置Ｆ＿３）とマイク２を床面Ｆに投影した位置Ｆ＿２との間の床面Ｆ上に配置された例について説明したが、吸音部材１１全体が、ドラム４（ドラム４が設けられた床面Ｆ上の位置Ｆ＿３）とマイク２を床面Ｆに投影した位置Ｆ＿２との間の床面Ｆ上に配置されるようにしてもよい。
【００２５】
また、吸音部材１１が配置される位置は、吸音部材１１を配置した場合に、吸音部材１１を配置しない場合と比較して、マイク２によって測定される音に含まれる床面Ｆから反射される音の割合が小さくなるような位置であればどのような位置であってもよい。
【符号の説明】
【００２６】
２          マイク
３          タイヤ
４          ドラム
５          ドラム表面
６          回転軸
７          赤道面
１０        タイヤ騒音装置
１１        吸音部材
Ｆ          床面
【図１】
0005623774.tif 000003
【図２】
0005623774.tif 000004
【図３】
0005623774.tif 000005